(57)【要約】【課題】  本発明の課題は、ＩＣカードの所持者による訪問が正当であることを確実に判定するシステム、および、その方法を提供することである。【解決手段】  記憶する訪問先を特定する情報と、ＩＣカードから読み取られた訪問者識別情報と、を、訪問認証装置に送信して、訪問認証装置から、訪問者認証結果を、受信する訪問者受付装置と、記憶する訪問者識別情報と訪問先を特定する情報と訪問予定日時情報とを含む訪問予定データと、受信した訪問者識別情報と訪問先を特定する情報とを、照合して、訪問者認証を行って、訪問者認証結果を、訪問者受付装置に送信する訪問認証装置と、がネットワークで接続されて構成される訪問管理システムである。【選択図】  図１
2008009977.tif 000002
【特許請求の範囲】
【請求項１】
訪問者受付装置と訪問認証装置とがネットワークで接続されて構成される訪問管理システムであって、
前記訪問者受付装置は、
訪問先を特定する情報を記憶する記憶手段と、
訪問者のＩＣカードが記憶する訪問者識別情報を読み取るＩＣカード読取手段と、
読み取られた訪問者識別情報と前記記憶する訪問先を特定する情報とを、訪問認証装置に送信する訪問者識別情報送信手段と、
訪問認証装置から、訪問者認証結果を、受信する訪問者認証結果受信手段と、
を備える受付装置である、
前記訪問認証装置は、
訪問者識別情報と訪問先を特定する情報と訪問予定日時情報とを含む訪問予定データ、
を記憶する記憶手段と、
訪問者識別情報と訪問先を特定する情報とを、訪問者受付装置から受信する訪問者識別情報受信手段と、
前記受信した訪問者識別情報と訪問先を特定する情報とを、訪問予定データと照合して、訪問者認証を行う訪問者認証手段と、
訪問者認証結果を、訪問者受付装置に送信する訪問者認証結果送信手段と、
を備える認証装置である、
ことを特徴とする訪問管理システム。
【請求項２】
前記訪問者受付装置は、
照合情報の入力を受け付ける照合情報受付手段と、
受け付けられた照合情報を、訪問認証装置に送信する照合情報送信手段と、
を備える受付装置であって、
前記訪問認証装置は、
照合情報を、訪問者受付装置から受信する照合情報受信手段と、
前記訪問者認証手段は、前記受信した訪問者識別情報と訪問先を特定する情報と照合情報とを、訪問予定データと照合して、訪問者認証を行う、
認証装置である、
ことを特徴とする請求項１に記載の訪問管理システム。
【請求項３】
訪問者識別情報と訪問先を特定する情報と訪問予定日時情報とを含む訪問予定データ、を用いる訪問管理方法であって、
訪問者のＩＣカードが記憶する訪問者識別情報を読み取るＩＣカード読取ステップと、
訪問先を特定する情報と前記読み取られた訪問者識別情報とを、訪問予定データと照合して、訪問者認証を行う訪問者認証ステップと、
訪問者認証結果を発行する訪問者認証結果発行ステップと、
を含んだ手順でなされることを特徴とする訪問管理方法。
【請求項４】
照合情報の入力を受け付ける照合情報受付ステップと、前記訪問者認証ステップは、受け付けられた照合情報と、訪問者識別情報と訪問先を特定する情報とを、訪問予定データと照合して、訪問者認証を行う、ことを特徴とする請求項３に記載の訪問管理方法。
【請求項５】
コンピュータに組込むことによって、コンピュータを請求項１、または、請求項２に記載の訪問管理システムとして動作させるコンピュータプログラム。
【請求項６】
請求項５に記載のコンピュータプログラムを記録したコンピュータ読取り可能な記録媒体。
【発明の詳細な説明】
【技術分野】
【０００１】
本発明は、訪問者の正当性を管理するシステム、および、その方法に関するものである。
【背景技術】
【０００２】
従来から、ＩＣカードを用いて、セキュリティ管理をされた区域に入場する訪問者の入場管理（たとえば、工場に入場する装置保守技術者、事務所に入場する自動販売機管理者、マンションメータ検針員など。）が行われている。
【０００３】
たとえば、特許文献１では、ＩＣカードを用いた入室管理において、ＩＣカードの使用期限を定めて、入場者の正当性を評価して、入場許可判断をする技術が開示されている。（従来技術１）
【特許文献１】特開平１０−２８０７５４号公報（１１〜１２ページ、図６）
【発明の開示】
【発明が解決しようとする課題】
【０００４】
ところで、従来技術１では、ＩＣカードの所持者が、正当な訪問ではなくて、悪意による訪問を行っても、それを判定できないという問題点があった。さらに、ＩＣカードの所持者が、退職などで、所持資格を失効していても、それを検知できないという欠点があった。
【０００５】
本発明はこのような従来技術を考慮してなされたものであって、本発明の課題は、ＩＣカードの所持者による訪問が正当であることを確実に判定するシステム、および、その方法を提供することである。
【課題を解決するための手段】
【０００６】
本発明は、以下のような解決手段により、前記課題を解決する。すなわち、請求項１の発明は、訪問者受付装置と訪問認証装置とがネットワークで接続されて構成される訪問管理システムであって、前記訪問者受付装置は、訪問先を特定する情報を記憶する記憶手段と、訪問者のＩＣカードが記憶する訪問者識別情報を読み取るＩＣカード読取手段と、読み取られた訪問者識別情報と前記記憶する訪問先を特定する情報とを、訪問認証装置に送信する訪問者識別情報送信手段と、訪問認証装置から、訪問者認証結果を、受信する訪問者認証結果受信手段と、を備える受付装置である、前記訪問認証装置は、訪問者識別情報と訪問先を特定する情報と訪問予定日時情報とを含む訪問予定データ、を記憶する記憶手段と、訪問者識別情報と訪問先を特定する情報とを、訪問者受付装置から受信する訪問者識別情報受信手段と、前記受信した訪問者識別情報と訪問先を特定する情報とを、訪問予定データと照合して、訪問者認証を行う訪問者認証手段と、訪問者認証結果を、訪問者受付装置に送信する訪問者認証結果送信手段と、を備える認証装置である、ことを特徴とする訪問管理システムである。
【０００７】
ここで、ＩＣカードの所持者は、予定に基づいた正当な訪問であることや、ＩＣカードの所持者が、正当な所持者であることを、判定できる。
【０００８】
請求項２の発明は、前記訪問者受付装置は、照合情報の入力を受け付ける照合情報受付手段と、受け付けられた照合情報を、訪問認証装置に送信する照合情報送信手段と、を備える受付装置であって、前記訪問認証装置は、照合情報を、訪問者受付装置から受信する照合情報受信手段と、前記訪問者認証手段は、前記受信した訪問者識別情報と訪問先を特定する情報と照合情報とを、訪問予定データと照合して、訪問者認証を行う、認証装置である、ことを特徴とする請求項１に記載の訪問管理システムである。
【０００９】
ここで、ＩＣカードの所持者に、照合情報の入力を求めるので、ＩＣカードの不正取得者（たとえば、拾得）の排除が可能となる。
【００１０】
請求項３の発明は、訪問者識別情報と訪問先を特定する情報と訪問予定日時情報とを含む訪問予定データ、を用いる訪問管理方法であって、訪問者のＩＣカードが記憶する訪問者識別情報を読み取るＩＣカード読取ステップと、前記読み取られた訪問者識別情報と訪問先を特定する情報とを、訪問予定データと照合して、訪問者認証を行う訪問者認証ステップと、訪問者認証結果を発行する訪問者認証結果発行ステップと、を含んだ手順でなされることを特徴とする訪問管理方法である。
【００１１】
請求項４の発明は、照合情報の入力を受け付ける照合情報受付ステップと、前記訪問者認証ステップは、受け付けられた照合情報と、訪問者識別情報と訪問先を特定する情報とを、訪問予定データと照合して、訪問者認証を行う、ことを特徴とする請求項３に記載の訪問管理方法である。
【００１２】
請求項５の発明は、コンピュータに組込むことによって、コンピュータを請求項１、または、請求項２に記載の訪問管理システムとして動作させるコンピュータプログラムである。
【００１３】
請求項６の発明は、請求項５に記載のコンピュータプログラムを記録したコンピュータ読取り可能な記録媒体である。
【発明の効果】
【００１４】
本願発明によれば、ＩＣカードの所持者の訪問が、正当であることを判定することが可能である。また、ＩＣカードの所持者の所持資格を判定することが可能である。
【発明を実施するための最良の形態】
【００１５】
（実施例）
以下、図面等を参照しながら、本発明の実施の形態について、更に詳しく説明する。図１は、訪問管理システム１の概要を説明する図である。訪問管理システム１は、訪問認証装置１００と訪問者受付装置３００とがネットワークで接続されて、構成される。
【００１６】
訪問認証装置１００は、訪問者の訪問予定データ１９１を記憶する。訪問者受付装置３００は、訪問先を特定する情報（たとえば、ＩＰアドレスや企業名など。）を記憶する。訪問者受付装置３００は、ＩＣカード読取装置と照合情報受付装置とを備える。訪問者が保持するＩＣカード７００は、訪問者識別情報７９９（たとえば、訪問者ＩＤ）を記憶する。
【００１７】
訪問予定データ１９１は、“訪問者識別情報”と“訪問先を特定する情報”と“訪問予定日時情報”とを含むデータである。訪問者認証結果データ１９９は、“訪問者識別情報”と“訪問先を特定する情報”と “認証日時情報”とを含むデータである。
【００１８】
図２は、訪問管理システム１の処理の流れを説明する図である。訪問者受付装置３００は、訪問者のＩＣカード７００が記憶する訪問者識別情報７９９を読み取る（図２（１））。訪問者受付装置３００は、訪問先を特定する情報と訪問者識別情報７９９を訪問認証装置１００に送信する（同（２））。
【００１９】
訪問認証装置１００は、訪問先を特定する情報と訪問者識別情報７９９を受信する（同（１１））。
【００２０】
訪問者受付装置３００は、照合情報（たとえば、合言葉、パスワード）の入力を受け付ける（同（３））。訪問者受付装置３００は、照合情報を訪問認証装置１００に送信する（同（４））。
【００２１】
訪問認証装置１００は、照合情報を受信する（同（１２））。訪問認証装置１００は、訪問先を特定する情報と訪問者識別情報７９９と照合情報を、訪問予定データ１９１と照合して、訪問者認証を行う（同（１３））。訪問認証装置１００は、訪問者認証結果１９９を作成して、訪問者受付装置３００に送信する（同（１４））。訪問者受付装置３００は、訪問者認証結果１９９を受信する（同（２１））。
【００２２】
このように、ＩＣカードの所持者は、予定に基づいた正当な訪問であることや、ＩＣカードの所持者が、正当な所持者であることを、判定することが可能である。つまり、訪問予定以外の訪問を排除することが可能である。
【００２３】
なお、ＩＣカードの所持者に、照合情報の入力を求めるので、ＩＣカードの不正取得者（たとえば、拾得）を排除するという効果が得られる。
【００２４】
また、訪問認証装置１００は、ＩＣカードの所持者が、予定通りに訪問したことを（または、予定通りに訪問しなかったことを）確認できるという利点がある。
【００２５】
図３は、訪問管理システム１の詳細な構成図である。訪問管理システム１は、訪問認証装置１００と訪問者受付装置３００とがネットワークで接続されて構成される。
【００２６】
訪問認証装置１００は、訪問者識別情報受信手段１２０と照合情報受信手段１４０と訪問者認証手段１１０と認証結果送信手段１５０と記憶手段１９０とを備える。記憶手段１９０は、訪問予定データ１９１と訪問者認証結果データ１９９とを記憶する。
【００２７】
訪問予定データ１９１は、“訪問者識別情報”と“訪問先を特定する情報”と“訪問予定日時情報”とを含むデータである。訪問者認証結果データ１９９は、“訪問者識別情報”と“訪問先を特定する情報”と “認証日時情報”とを含むデータである。
【００２８】
訪問者識別情報受信手段１２０は、訪問者識別情報７９９と訪問先を特定する情報とを、訪問者受付装置３００から受信する。照合情報受信手段１４０は、照合情報を、訪問者受付装置３００から受信する。
【００２９】
訪問者認証手段１１０は、訪問者識別情報７９９と訪問先を特定する情報と照合情報とを、訪問予定データ１９１と照合して、訪問者認証を行い、訪問者認証結果１９９を作成する。
【００３０】
認証結果送信手段１５０は、作成された訪問者認証結果１９９を、訪問者受付装置３００に、送信する。
【００３１】
訪問者受付装置３００は、ＩＣカード読取手段３１０と訪問者識別情報送信手段３２０と照合情報受付手段３３０と照合情報送信手段３４０と認証結果受信手段３５０とを備える。
【００３２】
ＩＣカード読取手段３１０は、ＩＣカード７００が記憶する訪問者識別情報７９９を読み取る。
【００３３】
訪問者識別情報送信手段３２０は、読み取られた訪問者識別情報７９９と訪問先を特定する情報とを、訪問認証装置１００に送信する。
【００３４】
照合情報受付手段３３０は、照合情報の入力を受け付ける。照合情報送信手段３４０は、受け付けられた照合情報を、訪問認証装置１００に送信する。
【００３５】
認証結果受信手段３５０は、訪問認証装置１００から、訪問者認証結果１９９を受信する。
【００３６】
訪問者識別情報受信手段１２０と照合情報受信手段１４０と訪問者認証手段１１０と認証結果送信手段１５０とＩＣカード読取手段３１０と訪問者識別情報送信手段３２０と照合情報受付手段３３０と照合情報送信手段３４０と認証結果受信手段３５０とは、コンピュータプログラムにより実現される。訪問予定データ１９１と訪問者認証結果データ１９９とは、コンピュータプログラムが可読なデータである。記憶手段１９０は、メモリである。
【００３７】
図４は、訪問予定データ１９１の形式を説明する図である。訪問予定データ１９１の項目は、訪問者識別情報と、訪問先を特定する情報と、訪問予定日時情報と、照合情報から構成される。訪問者識別情報は、訪問者ＩＤである。訪問先を特定する情報は、訪問先名である。訪問予定日時情報は、日時である。照合情報は、必要に応じて変更される合言葉（パスワード）である。
【００３８】
図５は、訪問者認証結果データ１９９の形式を説明する図である。訪問者認証結果データ１９９の項目は、訪問者識別情報と、訪問先を特定する情報と、認証日時情報と、認証結果情報から構成される。“訪問者識別情報”と“訪問先を特定する情報”は、図４の“訪問者識別情報”と“訪問先を特定する情報”と同じである。認証日時情報は、日時である。認証結果情報は、「承認」、あるいは、「否認」が記載される。
【００３９】
図６は、認証の手順を説明する図である。訪問認証装置１００の訪問者認証手段１１０は、訪問者受付装置３００から受信した訪問者識別情報「ID66759467」と訪問認証装置１００の記憶手段１９０に記憶されている訪問予定データ１９１の訪問者識別情報「ID66759467」とが、一致するか判定する（図６（１））。訪問者認証手段１１０は、訪問者受付装置３００から受信した訪問先を特定する情報「IP=10.46.138.211 」と訪問予定データ１９１の訪問先を特定する情報「IP=10.46.138.211」とが、一致するか判定する（同（２））。訪問者認証手段１１０は、訪問者受付装置３００から受信した照合情報「fxza67」と訪問予定データ１９１の照合情報「fxza67」とが、一致するか判定する（同（３））。訪問者認証手段１１０は、上記の情報を受信した時刻「2006.05.16.16:13」が、訪問予定データ１９１の訪問予定日時情報「2006.05.16.15:00」の所定の範囲（たとえば、予定時刻の前後２時間以内）に収まっているか判定する（同（４））。
【００４０】
訪問者認証手段１１０は、以上の認証条件をすべて満しているので、認証して、認証結果が「承認」である訪問者認証結果１９９を作成する（同（５））。
【００４１】
以上詳しく説明したように、本願発明によれば、ＩＣカードの所持者の訪問が、正当であることを判定することが可能となった。また、ＩＣカードの所持者の所持資格を判定することが可能となった。
【図面の簡単な説明】
【００４２】
【図１】訪問管理システム１の概要を説明する図である。
【図２】訪問管理システム１の処理の流れを説明する図である。
【図３】訪問管理システム１の詳細な構成図である。
【図４】訪問予定データ１９１の形式を説明する図である。
【図５】訪問者認証結果データ１９９の形式を説明する図である。
【図６】認証の手順を説明する図である。
【符号の説明】
【００４３】
１  訪問管理システム
１００  訪問認証装置
１１０  訪問者認証手段
１２０  訪問者識別情報受信手段
１４０  照合情報受信手段
１５０  認証結果送信手段
１９０  記憶手段
１９１  訪問予定データ
１９９  訪問者認証結果データ
３００  訪問者受付装置
３１０  ＩＣカード読取手段
３２０  訪問者識別情報送信手段
３３０  照合情報受付手段
３４０  照合情報送信手段
３５０  認証結果受信手段
７００  ＩＣカード
７９９  訪問者識別情報
【図１】
2008009977.tif 000003
【図２】
2008009977.tif 000004
【図３】
2008009977.tif 000005
【図４】
2008009977.tif 000006
【図５】
2008009977.tif 000007
【図６】
2008009977.tif 000008